(57)【特許請求の範囲】
【請求項１】
ドライビングシミュレータ（１）の運転法（１００）であって、以下のステップ、すなわち、
‐ブレーキ指令器（３）の操作に基づいて、前記ドライビングシミュレータ（１）でのブレーキ指示を検知するステップ（１０１）と、
‐検知されたブレーキ指示を、ブレーキ指示を特徴付けるのに適している少なくとも１つのブレーキ信号（ＢＳ）に変換するステップ（１０２）と、
‐車両の、少なくとも１つの部分アクスル（５ａ、５ｂ、５ｃ、５ｄ）を有する駆動系統（４）の少なくとも一部と、少なくとも１つの前記部分アクスル（５ａ、５ｂ、５ｃ、５ｄ）に配設されている少なくとも１つのブレーキ（６ａ、６ｂ、６ｃ、６ｄ）と、が上に取り付けられているテストベンチ（２）に、少なくとも１つの前記ブレーキ信号（ＢＳ）を前記ドライビングシミュレータ（１）から伝達するステップ（１０３）と、
‐車両の所与の速度に対応する第１の車輪回転数（Ｎ０）で、少なくとも１つの前記部分アクスル（５ａ、５ｂ、５ｃ、５ｄ）を回転させるステップ（１０４）と、
‐少なくとも１つの前記ブレーキ信号（ＢＳ）に基づいて、車両の少なくとも１つの前記ブレーキ（６ａ、６ｂ、６ｃ、６ｄ）を操作するステップ（１０５）と、
‐車両の少なくとも１つのコンポーネント特に前記駆動系統（４）、車台および／または車両全体の特性（Ｐ）に基づいて、少なくとも１つのダイナモメータ（７ａ、７ｂ、７ｃ、７ｄ）によって少なくとも１つの前記部分アクスル（５ａ、５ｂ、５ｃ、５ｄ）での所与のトルク（Ｍｄｅｆ）または所与の第２の車輪回転数（Ｎｄｅｆ）を調節するステップ（１０６）であって、前記特性（Ｐ）は少なくとも部分的にシミュレートされるステップ（１０６）と、
‐所与のトルク（Ｍｄｅｆ）の場合には実車輪回転数（Ｎｒｅａｌ）を、または所与の第２の車輪回転数（Ｎｄｅｆ）の場合には実トルク（Ｍｒｅａｌ）を検知するステップ（１０７）と、
‐実車輪回転数（Ｎｒｅａｌ）または実トルク（Ｍｒｅａｌ）のデータを前記ドライビングシミュレータ（１）に出力するステップ（１０８）と、
を備える方法（１００）。
【請求項２】
さらに以下のステップ、すなわち、
‐実車輪回転数（Ｎｒｅａｌ）または実トルク（Ｍｒｅａｌ）のデータに基づいて、前記ドライビングシミュレータ（１）での視覚的および／または聴覚的シミュレーションを適合させるステップ（１０９）、
を備える請求項１に記載の方法（１００）。
【請求項３】
さらに以下のステップ、すなわち、
‐少なくとも実車輪回転数（Ｎｒｅａｌ）または実トルク（Ｍｒｅａｌ）のデータに基づいて、特に実車輪回転数（Ｎｒｅａｌ）または実トルク（Ｍｒｅａｌ）から導き出される加速度に基づいて、前記ドライビングシミュレータ（１）の模擬運転席（８）、特に少なくとも１つのコントロールスタンドおよび／または車両の少なくとも１つの部分を動かすステップ（１１０）、
を備える請求項１または２に記載の方法（１００）。
【請求項４】
さらに以下のステップ、すなわち、
‐車両の少なくとも１つの前記ブレーキ（６ａ、６ｂ、６ｃ、６ｄ）の実際のブレーキ圧（ＢＤ）の限界に達すると、少なくとも１つの前記ブレーキ（６ａ、６ｂ、６ｃ、６ｄ）の操作を少なくとも部分的にシミュレートするステップ（１０５ａ）、
を備える請求項１から３のいずれか１項に記載の方法（１００）。
【請求項５】
少なくとも１つの前記部分アクスル（５ａ、５ｂ、５ｃ、５ｄ）での所与のトルク（Ｍｄｅｆ）または所与の第２の車輪回転数（Ｎｄｅｆ）の調節は、さらに空気抵抗、勾配抵抗および／または土壌抵抗を考慮し、これらの抵抗の少なくとも１つが好適にはシミュレートされる請求項１から４のいずれか１項に記載の方法（１００）。
【請求項６】
少なくとも１つの前記部分アクスル（５ａ、５ｂ、５ｃ、５ｄ）の代わりに前記駆動系統（４）の別の一部が、前記テストベンチ（２）に取り付けられている請求項１から５のいずれか１項に記載の方法（１００）。
【請求項７】
前記駆動系統（４）の少なくとも一部は、車両のそれぞれ１つの車輪に配設されている複数の部分アクスル（５ａ、５ｂ、５ｃ、５ｄ）を備え、該部分アクスルの所与のトルク（Ｍｄｅｆ）または所与の第２の車輪回転数（Ｎｄｅｆ）は、個々の各部分アクスルのために個別に調節される（１０６）請求項１から６のいずれか１項に記載の方法（１００）。
【請求項８】
車両の少なくとも１つの前記ブレーキ（６ａ、６ｂ、６ｃ、６ｄ）周辺に、少なくとも１つの流体の実際の流れ条件が模擬される請求項１から７のいずれか１項に記載の方法（１００）。
【請求項９】
走行速度、走行方向および／または風条件に応じた車両の走行風が模擬される請求項１から８のいずれか１項に記載の方法（１００）。
【請求項１０】
車両周辺の気象条件および／または交通条件が模擬される請求項１から９のいずれか１項に記載の方法（１００）。
【請求項１１】
少なくとも１つの前記ブレーキ（６ａ、６ｂ、６ｃ、６ｄ）周辺の流れ条件、走行風、車両周辺の気象条件、および／または交通条件が、少なくとも部分的にシミュレートされる請求項１から１０のいずれか１項に記載の方法（１００）。
【請求項１２】
方法のステップは、所与の試験時間にわたって繰り返される請求項１から１１のいずれか１項に記載の方法（１００）。
【請求項１３】
車両のブレーキ機構の試験装置であって、
車両の、少なくとも１つの部分アクスル（５ａ、５ｂ、５ｃ、５ｄ）を有する駆動系統の少なくとも一部と、少なくとも１つの前記部分アクスル（５ａ、５ｂ、５ｃ、５ｄ）に配設されている少なくとも１つのブレーキ（６ａ、６ｂ、６ｃ、６ｄ）と、を受容するために設備されているテストベンチ（２）と、
ブレーキ指令器（３）を有する模擬運転席（８）を備え、車両の動きの聴覚的および／または視覚的シミュレーションを作り出すために、かつ車両の動きに対応して前記模擬運転席（８）、少なくとも１つのコントロールスタンドおよび／または車両の少なくとも１つの部分を動かすために設備されているドライビングシミュレータ（１）と、
少なくとも１つのブレーキ信号を前記ドライビングシミュレータ（１）から前記テストベンチ（２）に伝達するために設備されている、前記テストベンチ（２）と前記ドライビングシミュレータ（１）との間の信号接続（１０）と、
少なくとも実車輪回転数（Ｎｒｅａｌ）および／または実トルク（Ｍｒｅａｌ）に関するデータを前記テストベンチ（２）から前記ドライビングシミュレータ（１）に伝達するために設けられているデータ接続（１１）と、
前記駆動系統（４）の一部の少なくとも１つの部分アクスル（５ａ、５ｂ、５ｃ、５ｄ）特にハーフアクスルと相対的回転不能に接合されるために設備されている少なくとも１つのダイナモメータ（７ａ、７ｂ、７ｃ、７ｄ）であって、装置は、被試験ブレーキ（６ａ、６ｂ、６ｃ、６ｄ）ごとに１つのダイナモメータ（７ａ、７ｂ、７ｃ、７ｄ）を備えるダイナモメータ（７ａ、７ｂ、７ｃ、７ｄ）と、
を備え、
前記テストベンチは、車両の前記少なくとも１つのブレーキ（６ａ、６ｂ、６ｃ、６ｄ）を、前記少なくとも１つのブレーキ信号（ＢＳ）に基づいて操作するよう構成されている装置。
【請求項１４】
前記テストベンチ（２）はさらに、少なくとも１つの流体の実際の流れ条件を、車両の少なくとも１つの前記ブレーキ（６ａ、６ｂ、６ｃ、６ｄ）で模擬するために設けられている請求項１３に記載の装置。
【請求項１５】
前記ドライビングシミュレータ（１）は、バーチャルリアリティを再現する手段（１６、１７）特に視覚再現装置および／またはオーディオ再現装置を備え、および／または少なくとも６つの空間自由度で前記模擬運転席（８）を動かすために設けられている請求項１３または１４に記載の装置。
【請求項１６】
少なくとも１つの前記ブレーキ（６ａ、６ｂ、６ｃ、６ｄ）での実際の流れ条件、走行風、気象条件および／または、走行速度と走行方向と風条件、気象条件、および／または交通条件に応じた交通条件を模擬するために、前記テストベンチはさらに、少なくとも１つの送風機（１３ａ、１３ｂ、１３ｃ、１３ｄ）、少なくとも１つの温度調節装置（１４ａ、１４ｂ、１４ｃ、１４ｄ）、および／または少なくとも１つの噴霧装置（１５ａ、１５ｂ、１５ｃ、１５ｄ）を備える請求項１３から１５のいずれか1項に記載の装置。
【請求項１７】
少なくとも１つの送風機（１３ａ、１３ｂ、１３ｃ、１３ｄ）、温度調節装置（１４ａ、１４ｂ、１４ｃ、１４ｄ）、および／または噴霧装置（１５ａ、１５ｂ、１５ｃ、１５ｄ）は、被試験ブレーキ（６ａ、６ｂ、６ｃ、６ｄ）ごとに備わっている請求項１３から１６のいずれか１項に記載の装置。
【請求項１８】
前記テストベンチは、流路（１４）および／または冷却室（１５）を備える請求項１３から１７のいずれか１項に記載の装置。
【請求項１９】
前記信号接続は、実際のブレーキ圧（ＢＤ）を制限する装置特に弁を備える請求項１３から１８のいずれか１項に記載の装置。
【請求項２０】
前記信号接続（１０）は油圧式のラインであり、前記ブレーキ信号は油圧である請求項１３から１９のいずれか１項に記載の装置。
【請求項２１】
前記ドライビングシミュレータ（１）は、ブレーキ指令器（３）としてブレーキペダル（９）とブレーキ伝達シリンダ（１２）とを備え、該ブレーキ伝達シリンダ（１２）は、前記ブレーキ信号の変化、特に前記信号接続（１０）によって引き起こされる減衰および／または遅滞を補償するために設備されている請求項２０に記載の装置。
【発明の詳細な説明】
【技術分野】
【０００１】
本発明は、テストベンチとドライビングシミュレータとを備えるブレーキ試験装置と、そのようなドライビングシミュレータの運転法とに関する。
【背景技術】
【０００２】
本願発明の主旨におけるドライビングシミュレータとは、異なる車両の走行運転をできる限り現実的なやり方でシミュレートすることができる装置と理解され得る。典型的にはそのような装置は、道路運送車両特にレーシングカーの走行運転をシミュレートするのに使われる。しかし基本的には、本発明の主旨におけるドライビングシミュレータは、他の車両にも使用できる。
【０００３】
実車両でのトレーニング時間が一般的に厳しく規制されているカーレースの分野では、開発された新製品を、ドライビングシミュレータを用いてコストをかけずにテストでき、既知のレース区間のコースを、レースまたはシーズンに先立って、追加のトレーニング走行とは別に練習することができる。本発明に係るドライビングシミュレータおよび本発明に係るブレーキ試験装置のさらなる適用範囲は、運転者アシストシステムの車両開発と交通安全と可動性と不可欠な安全性と、自動車の基礎研究と、の分野にある。
【０００４】
一般的にドライビングシミュレータは、現実のまたはコンピュータ生成の車両環境の光景を表わすための画像再現装置を有する。この場合、ドライビングシミュレータ内の運転者に、できる限り現実的な環境の印象を与えるために、好適にはバーチャルリアリティの方法が使用される。その際運転者は一般的に、座席、インストルメントパネル、力フィードバック付きコントロール要素、バックミラーおよび／またはその他の操作要素を有するコックピットいわゆる模擬運転席（Sitzkiste）にいる。そのような模擬運転席は、包括的にまたは場合によってはタイプによって固有に実施されていてよく、人間工学的にかつ機能的に実際の乗用車のコックピットに対応してよい。これはたとえば、フロントガラスやサイドガラスからの視界、ルームミラーやドアミラーおよび乗用車の車体の対応する特徴（たとえばＡピラーやＢピラー、センタコンソール、車内、ドアの内側など）を含んでいる。
【０００５】
好適にはそのような模擬運転席は、堅固に特に不動にドライビングシミュレータの稼動装置に接合されており、当該ドライビングシミュレータは、ドライビングシミュレータの機械フレームに対して予め決められた自由度に、模擬運転席が、アクティブにコントロールされてまたは制御されて動くのを可能にする。好適にはドライビングシミュレータには、運転者にとってできる限り細部にわたって忠実なシミュレーションを可能にするために、車両全体または車両の車体の少なくとも一部が取り付けられてよい。
【０００６】
さらに好適には、ドライビングシミュレータは、車両の環境音を模擬する手段を備える。特に複数の拡声器によるこのような聴覚的な模擬によって、運転者に対して示されるバーチャルリアリティを、聴覚知覚についても充実させることが可能になる。
【０００７】
そのようなドライビングシミュレータは、従来技術の様々な形態において知られている。
【０００８】
特許文献１は、３つ好ましくは４つまたはそれ以上の車輪アセンブリを介して地面上を移動可能な機械フレームを有するドライビングシミュレータを記述しており、車輪アセンブリはそれぞれ、長手軸周りに回転可能に設けられている、地面上を移動可能な少なくとも１つの車輪を含み、機械フレームは、人のための座席とドライビングシミュレータをコントロールするための操作要素とを含むコントロール装置と連結されている。
【０００９】
特許文献２は、試験車両が載置可能なフロアプレートと、試験自動車の垂直加速度および／または縦加速度および／または横加速度および／またはピッチ角および／またはロール角をシミュレートするための、フロアプレートに設けられかつ試験車両と接合された複数のアクチュエータとを含む、自動車の稼動シミュレーションのためのドライビングシミュレータを記述しており、アクチュエータは、試験自動車のアンダフロアに固定可能な少なくとも１つのアダプタプレートを介して、試験自動車に作用接続されている。
【００１０】
特許文献３は、運転者のための座席と車両の操作要素とを有するコックピットと、シミュレーション運転の間運転者が視認可能な走行車両の環境を表わすための視界システムと、ドライビングシミュレータの外部からの視覚影響から運転者を遮断するハウジングと、ドライビングシミュレータの接地面に対してコックピットと視界システムとハウジングとを一緒に動かすための稼動システムとから成るドライビングシミュレータを記述している。
【００１１】
さらに従来技術において、ブレーキ機能を試験できる車両テストベンチが知られている。それで特許文献４は、車両がローラの上に設けられている車両テストベンチを開示している。テストベンチは、自動化されたブレーキテストを実行するために、ブレーキペダルの操作に利用できる自動化ペダル操作装置を備える。
【先行技術文献】
【特許文献】
【００１２】
【特許文献１】墺国特許出願公開第５１４４０４号明細書
【特許文献２】独国実用新案第２０２０１２００６５５１号明細書
【特許文献３】独国特許出願公開第１０２００９０００９２９号明細書
【特許文献４】独国特許出願公開第１０２００７０１２５４５号明細書
【発明の概要】
【発明が解決しようとする課題】
【００１３】
従来技術を背景として、本発明の課題は、できる限り現実的な条件下で１つまたはすべてのブレーキのブレーキ機能を実行でき、かつドライビングシミュレータの運転のために用いられ得るデータを生成する、ブレーキ機構試験装置を提供することである。本発明はさらに、これらのデータに基づくドライビングシミュレータの運転法に関する。
【課題を解決するための手段】
【００１４】
この課題は、請求項１に記載のドライビングシミュレータの運転法と、請求項１３に記載のブレーキ試験装置とによって解決される。有利な形態は、従属請求項で請求される。請求項の文面は、記述の内容に明らかに関連したものである。
【００１５】
本発明に係るドライビングシミュレータの運転法は、以下のステップ、すなわち、特にブレーキ指令器（Bremsgeber）の操作に基づいて、ドライビングシミュレータでのブレーキ指示を検知するステップと、検知されたブレーキ指示を、ブレーキ指示を特徴付けるのに適している少なくとも１つのブレーキ信号に変換するステップと、車両の、少なくとも１つの部分アクスル特にハーフアクスルを有する駆動トレインの少なくとも一部と、少なくとも１つの部分アクスルに配設されている少なくとも１つのブレーキと、が上に取り付けられているテストベンチに、少なくとも１つのブレーキ信号をドライビングシミュレータから伝達するステップと、車両の所与の速度に対応する車輪回転数で、少なくとも１つの部分アクスルを回転させるステップと、少なくとも１つのブレーキ信号に基づいて、車両の少なくとも１つのブレーキを操作するステップと、車両の少なくとも１つのコンポーネント特に駆動トレイン、車台、および／または車両全体の特性に基づいて、少なくとも１つのダイナモメータによって少なくとも１つの部分アクスルでの所与のトルクまたは所与の車輪回転数を調節するステップであって、特性は少なくとも部分的にシミュレートされるステップと、所与のトルクの場合には実車輪回転数を、または所与の車輪回転数の場合には実トルクを検知するステップと、実車輪回転数または実トルクをドライビングシミュレータに出力するステップとを備える。
【００１６】
本発明に係る車両のブレーキ機構の試験装置は好適には、車両もしくは車両の重要な部分を受容するために設備されているテストベンチを備える。これは、少なくとも１つの部分アクスル特にハーフアクスルを有する駆動トレインの少なくとも一部と、少なくとも１つの部分アクスルに配設されている少なくとも１つのブレーキと、である。さらに装置は好適には、ドライビングシミュレータを備え、当該ドライビングシミュレータは、ブレーキ指令器を有する模擬運転席を備え、車両の動きの聴覚的および／または視覚的シミュレーションを作り出すために、かつ車両の動きに対応して模擬運転席を動かすために設備されている。模擬運転席は特に、少なくとも１つのコントロールスタンドおよび／または車両の少なくとも１つの部分を備える。テストベンチとドライビングシミュレータとの間には、少なくとも１つのブレーキ信号をドライビングシミュレータからテストベンチに伝達するために、好適には信号接続が設備されている。さらに装置は、少なくとも実車輪回転数および／または実車輪トルクに関するデータをテストベンチからドライビングシミュレータに伝達するために設備されているデータ接続を備える。好適には装置のダイナモメータが少なくとも１つ設けられていて、少なくとも１つの部分アクスル特に駆動トレインの一部のハーフアクスルと相対的回転不能に接合され、装置は、被試験ブレーキごとにそれぞれ１つのダイナモメータを備える。
【００１７】
本発明の主旨におけるブレーキ指示とは、特にブレーキ指令器たとえばブレーキピストンを有するブレーキペダルを操作することで、特に運転者または自動運転車によって出力される、ブレーキ作用の要求のことである。
【００１８】
本発明の主旨における部分アクスルとは、車両で特に２つの車輪を各端部に備えるアクスルの一部分のことである。特に、本発明の主旨における部分アクスルは、１つの車輪を担持するために設備されているハーフアクスルのことである。
【００１９】
本発明の主旨におけるダイナモメータとは、部分アクスルに正もしくは負の力またはトルクを加えることができる、つまりジェネレータとしてもモータとしても運転され得る、好適には電気式の機械、特にいわゆる能動ダイナモメータのことである。好適にはダイナモメータは、特にトルクを測定するための力測定器を含む。
【００２０】
本発明の主旨における車両のコンポーネントとは、車両の個々の部材またはアセンブリのことである。
【００２１】
本発明の主旨における車輪回転数とは、車輪が部分アクスルに取り付けられていれば、この車輪が回転するであろう回転数のことである。この回転数は、部分アクスルで測定され得る回転数に相当する。
【００２２】
本発明の主旨におけるコンポーネントの特性とは、車両の走行挙動に寄与するコンポーネントのあらゆる特徴、特に直線的に動く質量と回転する質量とが減速した場合に、ブレーキモーメントを生み出すコンポーネント質量のことである。本発明の主旨における特性は、極めて一般的には、本発明に係る方法の入力パラメータを意味する。
【００２３】
本発明の主旨における車両とは、航空機または陸上車両のことであるが、特に自動車のことである。
【００２４】
本発明の主旨における実車輪回転数と実トルクは、少なくとも１つの部分アクスルでの車輪回転数および／またはトルクの測定値についての情報を含んでいる。
【００２５】
本発明の主旨におけるブレーキは特に、１つの車輪もしくは１つの部分アクスル特にハーフアクスルの回転運動にブレーキをかけるのに必要とされるすべてのコンポーネント、すなわちディスクブレーキの場合には、少なくともブレーキディスクと、ブレーキパッドを有するブレーキキャリパと、場合によっては油圧式、空気圧式、および／またはバネ式の要素とを備える。
【００２６】
本発明の主旨におけるブレーキ機構は、少なくとも１つのブレーキと、場合によっては１つまたは複数のブレーキをブレーキ指令器と接合するためのさらなる要素とを備える。
【００２７】
本発明は、運転者のまたは車両の走行挙動もしくは走行性を評価するためのシステム（たとえばＡＶＬ  Ｄｒｉｖｅ）のバーチャルな走行経験を、この走行経験が実車両での走行経験にできる限り近いものになるように、車両の駆動トレインの少なくとも一部での物理的な測定値を統合することによって支援するという試みに基づいている。その際本発明は特に、たとえばブレーキパッドやブレーキディスクの、制動に関与する表面の摩擦力は、特に入力パラメータの多さゆえに、正確な数値で模擬できないので、制動中の車両の走行挙動をシミュレートするのは困難であるという認識に依拠している。表面の性質に加えて、ブレーキでの実際の流れ条件、走行風、気象条件のような外的な影響、または走行速度、走行方向、風条件に応じた交通条件による影響も、シミュレート困難な影響要因として付け加わる。
【００２８】
本発明に従えば、被試験車両の制動挙動は、好適にはテストベンチで測定によって決定される。その際テストベンチには、駆動トレインの少なくとも一部、特に部分アクスルもしくはハーフアクスルが、特に被試験車両の車輪マウントを有して取り付けられている。車両のこれらの実コンポーネントによって実行される制動は、ブレーキの要素間の実際の相互作用だけでなく、場合によってはシミュレーションに格納される値に対する駆動トレインの偏差も考慮に入れている。その上、駆動トレイン全体に、または個々のブレーキの領域において、実際の環境条件を作り出すことができるので、これらの影響要因も測定時に考慮することができる。テストベンチの少なくとも１つのダイナモメータによって特に、たとえばオートマチック・トランスミッションの徐行運転時の駆動機械によるまたは急傾斜の区間による推進力の制動を模擬することができるが、好適には制動を、推進コンポーネントなしにテストベンチで、少なくとも１つのダイナモメータによってシミュレートすることもできる。
【００２９】
本発明に係る方法の有利な一形態において、本方法はさらに、実車輪回転数または実トルクに基づいて、ドライビングシミュレータでの視覚的および／または聴覚的シミュレーションを適合させるステップを備える。ドライビングシミュレータでの視覚的または聴覚的シミュレーションを適合させることによって、ドライビングシミュレータでの走行感覚を視覚的・聴覚的印象によって強めることができる。
【００３０】
本発明に係る方法の有利なさらなる一形態において、本方法はさらに、少なくとも実車輪回転数または実トルクに基づいて、特に実車輪回転数または実トルクから導き出される加速度に基づいて、ドライビングシミュレータの模擬運転席、特に少なくとも１つのコントロールスタンドおよび／または車両の少なくとも１つの部分を動かすステップを備える。特に模擬運転席の動きは、ドライビングシミュレータでの実際の走行感覚を伝える。
【００３１】
本発明に係る方法の有利なさらなる一形態において、本方法はさらに、車両の少なくとも１つのブレーキの実際のブレーキ圧の限界に達すると、少なくとも１つのブレーキの操作を少なくとも部分的にシミュレートするステップを備える。ブレーキ指令器でのフル制動もしくは非常に強い制動力を必要とするブレーキ指示の要求の場合には、ダイナモメータに過負荷がかかり、破損するかまたは少なくともシャットダウンしかねない。それゆえ、ブレーキ指令器とブレーキとの間のブレーキ・ラインが油圧式の場合には、たとえば弁によってブレーキ圧を制限し、限界を超える制動の一部をシミュレートすることが有利である。
【００３２】
それゆえ限界を超えるブレーキ圧は、制動挙動の値を決定する際に保留されず、むしろ車両シミュレーションの中で考慮されて、ブレーキ圧が制限されていても、実トルクもしくは出力される車輪回転数が現実的な値を備えるようにする。
【００３３】
本発明に係る方法の有利なさらなる一形態において、少なくとも１つの部分アクスルでの所与のトルクまたは所与の第２の車輪回転数の調節は、さらに空気抵抗、勾配抵抗、または土壌抵抗を考慮し、これらの抵抗の少なくとも１つが好適にはシミュレートされる。理想的な場合には、車両もしくは車両のコンポーネントに作用するすべての走行抵抗が、実車輪回転数または実トルクの出力時に考慮されている。
【００３４】
本発明に係る方法の有利なさらなる一形態において、少なくとも１つの部分アクスルの代わりに駆動トレインの別の一部、好適には実質的に上で述べられた車両が、テストベンチに取り付けられている。
【００３５】
本発明に係る方法の有利なさらなる一形態において、駆動トレインの少なくとも一部は、車両のそれぞれ１つの車輪に配設されている複数の部分アクスルを備え、部分アクスルの所与のトルクまたは所与の第２の車輪回転数は、個々の各部分アクスルのために個別に調節される。それによって測定時に、個々のブレーキ間でのブレーキ圧の異なる分配または様々な環境条件たとえば個々の車輪もしくはブレーキの接地性を実現できる。個々の車輪への推進力の様々な分配も、このように実現できる。
【００３６】
本発明に係る方法の有利なさらなる一形態において、車両の少なくとも１つのブレーキ周辺に、少なくとも１つの流体特に水および／または空気の実際の流れ条件が模擬される。
【００３７】
本発明に係る方法の有利なさらなる一形態において、走行速度好適にはさらに走行方向および／または風条件に応じた車両の走行風が、模擬される。
【００３８】
本発明に係る方法の有利なさらなる一形態において、車両周辺の気象条件および／または交通条件が、模擬される。
【００３９】
本発明に係る方法の有利なさらなる一形態において、少なくとも１つのブレーキ周辺の流れ条件、走行風、車両周辺の気象条件、および／または交通条件が、少なくとも部分的にシミュレートされる。
【００４０】
本発明に係る方法の有利なさらなる一形態において、方法のステップは、所与の試験時間にわたって繰り返される。
【００４１】
上で記述された本発明の態様と、ドライビングシミュレータの運転法を発展させるために開示された、上述の態様に付随する特徴および利点は、以下に記述される本発明の態様と、ブレーキ機構試験装置を発展させるために開示される、以下の態様に付随する特徴および利点にも、対応して当てはまり、かつ逆も当てはまる。
【００４２】
本発明に係る装置の有利な一形態において、テストベンチはさらに、少なくとも１つの流体特に水および／または空気の実際の流れ条件を、車両の少なくとも１つのブレーキで模擬するために設備されている。
【００４３】
本発明に係る装置の有利なさらなる一形態において、ドライビングシミュレータは、バーチャルリアリティを再現する手段特に視覚再現装置および／またはオーディオ再現装置を備え、および／または少なくとも６つの空間自由度で模擬運転席を動かすために設備されている。
【００４４】
本発明に係る装置の有利なさらなる一形態において、少なくとも１つのブレーキでの実際の流れ条件、走行風、気象条件、および／または、走行速度、走行方向、風条件、気象条件および／または交通条件に応じた交通条件を模擬するために、テストベンチはさらに、少なくとも１つの送風機、少なくとも１つの温度調節装置および／または少なくとも１つの噴霧装置を備える。
【００４５】
本発明に係る装置の有利なさらなる一形態において、少なくとも１つの送風機、温度調節装置および／または噴霧装置は、被試験ブレーキごとに備わっている。これによって、各ブレーキで様々な環境条件を作り出すことができ、特に現実に近いイメージがテストベンチで可能になる。
【００４６】
本発明に係る装置の有利なさらなる一形態において、テストベンチは、流路および／または冷却室を備える。これによって、テストベンチに取り付けられているすべてのコンポーネントに、現実的な運転シナリオを当てはめることができる。
【００４７】
本発明に係る装置の有利なさらなる一形態において、信号接続は、実際のブレーキ圧を制限する装置特に弁を備える。これによって、１つまたは複数のダイナモメータが、高すぎる圧力で強く制動されて、停止せざるを得なくなる、または破損すらするようなことを防ぐことができる。
【００４８】
有利なさらなる一形態において、信号接続は油圧式のラインであり、ブレーキ信号は油圧である。被試験車両にも油圧式ブレーキが備わっていれば、この信号接続は特に有利である。
【００４９】
本発明に係る装置の有利なさらなる一形態において、ドライビングシミュレータは、ブレーキ指令器としてブレーキペダルとブレーキ伝達シリンダ（Bremsgeberzylinder）とを備え、当該ブレーキ伝達シリンダは、ブレーキ信号の変化、特に信号接続によって引き起こされる減衰および／または遅滞を補償するために設備されている。特に、ドライビングシミュレータとテストベンチとの間が空間的に離れていることによって、信号接続特にブレーキ・ラインを実車両でよりも長くする必要があるかもしれない。油圧式のブレーキ機構では、ラインが長くなれば、システムの剛性が低下し、ブレーキペダルに対する運転者の知覚が変化する。これは、正規の運転時と同じ剛性を達成するためにブレーキ指令器のブレーキ・シリンダを変えることによって、またはブレーキ・ラインの圧力を適合させるかまたは、たとえば圧力リピータを介して付加的な長さのブレーキ・ラインに架橋することによって、防ぐことができる。
【００５０】
ドライビングシミュレータの運転法とブレーキ機構試験装置の例示的な実施形態およびさらなる利点は、図との関連で、以下の記述からもたらされる。詳細に図示されるのは以下である。
【図面の簡単な説明】
【００５１】
【図１】本発明に係るブレーキ機構試験装置の一実施形態のドライビングシミュレータの部分的に概略化された図である。
【図２ａ】後輪駆動装置を有する車両の駆動トレインが取り付けられている、本発明に係るブレーキ機構試験装置の第１の実施形態の部分的に概略化された図である。
【図２ｂ】全輪駆動装置を有する車両の駆動トレインが取り付けられている、本発明に係るブレーキ機構試験装置の第２の実施形態の部分的に概略化された図である。
【図３ａ】第１の実施形態の本発明に係る方法での情報フローの部分的に概略化されたダイアグラムである。
【図３ｂ】第２の実施形態の本発明に係る方法での情報フローの部分的に概略化されたダイアグラムである。
【図４】本発明に係る方法の第１と第２の実施形態の部分的に概略化されたフローチャートである。
【発明を実施するための形態】
【００５２】
図１は、好適には本発明に係るブレーキ機構試験装置の一実施形態で使用されるような、ドライビングシミュレータを示している。ドライビングシミュレータは、好適には運転者のための座席が固定されている模擬運転席８を備える。さらに模擬運転席８は好適には、バーチャルリアリティを再現する手段特に、バーチャルリアリティの視覚的印象を運転者に与える１つまたは複数の画像再現装置１６、および／または環境の聴覚的印象を運転者に伝える聴覚的再現手段１７特に拡声器が具備されている。好適には模擬運転席８は、ドライビングシミュレータの稼動装置（図示略）によって、Ｘ方向とＹ方向とＺ方向での並進運動を実施でき、Ｙ軸に対して平行な軸回りのピッチ運動と、Ｘ軸に対して平行な軸回りのロール運動と、Ｚ軸に対して平行な軸回りのヨー運動と、を実施できる。好適には模擬運転席８は、別の自由角でも運動可能である。さらに好適にはドライビングシミュレータ１は、シミュレーション計算機１８を備える（図１には図示略）。これは、ドライビングシミュレータ１に一体化されていてよく、またはドライビングシミュレータ１から空間的に分離されて設けられていてもよい。
【００５３】
図２ａは、ブレーキ機構試験装置の第１の実施形態を示している。この装置は、好適にはドライビングシミュレータ１とテストベンチ２とを備える。テストベンチ２には、好適には車両の駆動トレイン４を取り付けることができ、当該駆動トレイン４のブレーキ機構は、リアアクスルの部分アクスル５ｂ、５ｄが試験されことになる。このために、テストベンチ２は好適には、特にハーフアクスルに相当する被試験部分アクスル５ｂ、５ｄごとにもしくは被試験ブレーキ６ｂ、６ｄごとに、それぞれ１つのダイナモメータ７ｂ、７ｄを備える。ダイナモメータ７ｂ、７ｄによって、好適には所与のトルクＭｄｅｆと所与の車輪回転数Ｎｄｅｆとが、それぞれの部分アクスル５ｂ、５ｄに好適には車輪マウントを介して及ぼされ得る。さらにそれぞれのダイナモメータ７ｂ、７ｄは、それぞれの部分アクスル５ｂ、５ｄによって及ぼされたトルクＭｒｅａｌまたはその回転数Ｎｒｅａｌを測定技術的に決定するために設備されている。駆動トレイン４をできる限り良好に模擬できるようにするために、好適にはさらにダイナモメータ７ｂ、７ｄの慣性モーメントが駆動トレイン４を有する車両の車輪の慣性モーメントにできる限り相当するように、ダイナモメータ７ｂ、７ｄを調節できるように意図されている。部分アクスル５ｂ、５ｄに加えて、駆動トレイン４は、少なくとも被試験ブレーキ６ｂ、６ｄを備え、当該ブレーキ６ｂ、６ｄのブレーキディスクは、それぞれの部分アクスル５ｂ、５ｄに相対的回転不能に固定されており、ブレーキシューを有するブレーキキャリパによって制動される。好適には、ドラムブレーキなどの他のタイプのブレーキも、駆動トレイン４に備わっていてよい。ブレーキ６ｂ、６ｄは、信号接続１０特にブレーキ機構の油圧ラインを介して、ブレーキ信号ＢＳによって制御される。好適には他の油圧式の信号接続１０および、ブレーキ力を生み出すための電気モータを有する有線接続のまたは無線のブレーキ機構も可能である。表わされた実施形態において、ブレーキキャリパはブレーキシューを介して、部分アクスル５ａ、５ｂ、５ｃ、５ｄに据え付けられたブレーキ６ａ、６ｂ、６ｃ、６ｄのブレーキディスクに対して、ブレーキ力を加える。好適にはテストベンチ２は、装置１３ａ、１３ｂ、１３ｃ、１３ｄが具備されており、当該装置１３ａ、１３ｂ、１３ｃ、１３ｄは、ブレーキ６ａ、６ｂ、６ｃ、６ｄの各々でそれぞれ実際の流れ条件、走行風および／または気象条件を作り出すことができ、そのために好適には、送風機、温度調節装置、および／または噴霧装置を備える。好適には装置１３ａ、１３ｂ、１３ｃ、１３ｄは、テストベンチ２全体のための１つの装置または駆動トレイン４の各サイドのためのそれぞれ１つの装置に統合されていてもよい。好適には駆動トレイン４の少なくとも一部だけでなく、駆動トレイン４全体および／または車台の一部または車両全体が、テストベンチ２に取り付け可能である。環境条件をできる限り現実に近く再現できるようにするために、テストベンチ２はさらに、好適には流路１４および／または中に少なくとも駆動トレイン４の少なくとも一部が設けられている冷却室１５を備える。
【００５４】
さらに、好適には、ブレーキ・ダストを吸い出すための、表わされていない装置が備わっていてよい。
【００５５】
ブレーキ機構試験装置の表わされた第１の実施形態のドライビングシミュレータ１は、好適にはテストベンチ２から空間的に分離されて設けられている。特にドライビングシミュレータ１は、テストベンチ２から来る、たとえばモータ火災時の炎や煙による起こり得る危険が、ドライビングシミュレータ１内の運転者にとっては危険ではないように設けられている。このやり方で、安全技術上本来は人間でテストすることが許されない車両も試すことができる。好適にはシミュレータ１は、図１に関連してすでに説明された機能に加えて、被試験ブレーキ機構を有する車両の操作スイッチとペダルも備える。特にシミュレータ１は、表わされたブレーキが油圧式の場合に、好適にはブレーキペダル９とブレーキ伝達シリンダ１２とを備えるブレーキ指令器３を備える。ブレーキ伝達シリンダ１２と油圧ライン１０とブレーキ圧分配器２０とを介して、ブレーキ圧ＢＤはブレーキ６ａ、６ｂ、６ｃ、６ｄに伝達される。さらに好適には、ドライビングシミュレータ１は、シミュレーション計算機１８を備え、当該シミュレーション計算機１８は、ドライビングシミュレータ１に設けられているか、または図１に関連してすでに説明されたように、ドライビングシミュレータ１から空間的に分離されて設けられている。好適にはシミュレーション計算機１８は、テストベンチ２の領域に設けられていてもよい。好適には部分アクスル５ｂ、５ｄは、駆動装置１９によって、初期車輪回転数Ｎ０に加速される。しかしこの代わりに、ダイナモメータ７ｂ、７ｄが使用されてもよいであろう。ブレーキ圧分配器２０は、好適にはさらに、実際のブレーキ圧を制限する装置として、特にブレーキ機構が油圧式の場合には弁として形成されている。さらに好適には、実際のブレーキ圧を制限するそのような１つの弁または複数の弁は、ブレーキ圧分配器２０から分離されて信号接続１０に設けられていてもよい。ブレーキ圧を制限するそのような装置２０によって、モータ運転中の少なくとも１つのダイナモメータ７ｂ、７ｄが、過負荷によってシャットダウンせざるを得ないか、または破損すらすることを防げる。
【００５６】
テストベンチ２に蓄積されたデータは、好適にはデータ接続１１を介して、ドライビングシミュレータ１特にシミュレーション計算機１８に伝達され得る。シミュレーション計算機１８は好適には、さらなるシミュレーションの際にデータを考慮するために設備されている。
【００５７】
図２ｂにおける、本発明に係るブレーキ機構試験装置の第２の実施形態は、テストベンチ２が４つのダイナモメータ７ａ、７ｂ、７ｃ、７ｄを備えることで、図２ａに表わされた構造と本質的に異なっている。そのような構造は、四輪駆動装置またはロード・カップルド（strassengekoppeltem）ハイブリッド駆動装置を有する駆動トレイン４もしくは車両がテストベンチ２に取り付けられている場合には、特に適している。この場合、部分アクスルもしくはハーフアクスル５ａ、５ｃを有するフロントアクスルも、特に内燃機関の駆動装置１９によってまたは別の（電気）モータによって運転される。しかし、車両のアクスルの１つだけがモータ駆動される場合にも、存在するハーフアクスルもしくはブレーキ６ａ、６ｂ、６ｃ、６ｄごとにダイナモメータ７ａ、７ｂ、７ｃ、７ｄを有するテストベンチを使用できる。この場合、駆動されないハーフアクスルもしくは車輪は、初期車輪回転数Ｎ０を達成するために、ローラまたはそれぞれのダイナモメータ７ａ、７ｂ、７ｃ、７ｄを介して回転され得る。
【００５８】
図３ａは、本発明に係る方法の第１の実施形態の機能原理を表わしている。好適にはドライビングシミュレータ１の一部であるシミュレーション計算機１８は、少なくとも１つのダイナモメータ７ａ、７ｂ、７ｃ、７ｄに、部分アクスル５ａ、５ｂ、５ｃ、５ｄが回転する第１の車輪回転数Ｎ０を設定する。この場合少なくとも１つのダイナモメータ７ａ、７ｂ、７ｃ、７ｄは、モータ運転で作動する。代替的に、第１の車輪回転数Ｎ０は、被試験ブレーキ機構を有する車両の駆動トレイン４の駆動装置１９を介して調節されてよい。車輪回転数Ｎ０に達すると、少なくとも１つのダイナモメータ７ａ、７ｂ、７ｃ、７ｄは、回転する部分アクスル５ａ、５ｂ、５ｃ、５ｄに対して、予め決められたトルクＭｄｅｆを、回転方向とは逆に及ぼし、その結果回転運動が制動される。この場合トルクＭｄｅｆは、被試験ブレーキ機構の車両の特性Ｐに基づいて、シミュレーション計算機１８によって決定される。
【００５９】
このトルクＭｄｅｆは、少なくとも１つのダイナモメータ７ａ、７ｂ、７ｃ、７ｄに設定され、このダイナモメータ７ａ、７ｂ、７ｃ、７ｄによって、それぞれの部分アクスル５ａ、５ｂ、５ｃ、５ｄで調節される。シミュレータ１内の運転者のブレーキ指示は、ブレーキ信号ＢＳに変換され、当該ブレーキ信号ＢＳはブレーキ６ａ、６ｂ、６ｃ、６ｄに転送される。ブレーキ６ａ、６ｂ、６ｃ、６ｄのブレーキキャリパは、ブレーキ圧ＢＤを生み出し、当該ブレーキ圧ＢＤは、部分アクスル５ａ、５ｂ、５ｃ、５ｄと相対的回転不能に接合されたブレーキディスクに及ぼされ、その結果部分アクスル５ａ、５ｂ、５ｃ、５ｄの回転が制動される。ここから生じる実車輪回転数Ｎｒｅａｌは、少なくとも１つのダイナモメータ７ａ、７ｂ、７ｃ、７ｄまたは別の回転数計測器によって計測され、好適にはシミュレーション計算機１８に出力され、当該シミュレーション計算機１８は、シミュレーションをドライビングシミュレータ１内の運転者のために適切に適合させる。
【００６０】
図３ｂは、本発明に係るドライビングシミュレータの運転法の第２の実施形態の機能原理を表わしている。図３ａに関連して説明された第１の実施形態とは異なって、シミュレーション計算機１８は、所与のトルクＭｄｅｆではなく、所与の第２の車輪回転数Ｎｄｅｆを算定し、この車輪回転数Ｎｄｅｆを少なくとも１つのダイナモメータ７ａ、７ｂ、７ｃ、７ｄに出力する。この場合所与の車輪回転数Ｎｄｅｆは、特性Ｐに基づいてかつドライビングシミュレータ１内の運転者のブレーキ指示で生成されるブレーキ信号に基づいて算出され、当該ブレーキ信号は、シミュレーション計算機１８が同様に入力パラメータとして利用できる。ダイナモメータ７ａ、７ｂ、７ｃ、７ｄは、トルクを加えることによって、各時点でこの所与の車輪回転数Ｎｄｅｆを達成しようとする。これによって、ブレーキ６ａ、６ｂ、６ｃ、６ｄのブレーキキャリパからのブレーキ圧によって、ブレーキディスクを介して部分アクスル５ａ、５ｂ、５ｃ、５ｄに及ぼされる実トルクＭｒｅａｌを推定することができる。この実トルクＭｒｅａｌは好適にはシミュレーション計算機１８に出力され、当該シミュレーション計算機１８は、ドライビングシミュレータ１でのシミュレーションを適切に適合させる
【００６１】
図４は、本発明に係るドライビングシミュレータ１の運転法の第１と第２の実施形態のフローチャートを表わしている。この場合本方法のステップは、表わされた順序に限定されるものではなく、むしろ機能原理が図２ａと図２ｂの両実施形態に関連して表わされている、それぞれ検知または決定された情報の間の機能的な関連性を表わしている。
【００６２】
まず好適には、ドライビングシミュレータ１内の運転者のブレーキ指示が、特に運転者によるブレーキ指令器３、好適にはブレーキ伝達シリンダ１２に作用するブレーキペダル９の操作に基づいて検知される１０１。ブレーキ指令器３特にブレーキ伝達シリンダ１２によって、ブレーキ指示は好適には、ブレーキ指示を特徴付けるのに適している少なくとも１つのブレーキ信号ＢＳに変換される１０２。このブレーキ信号ＢＳは好適には、ドライビングシミュレータ１から、図２ａと図２ｂとに関連して前述されたようなテストベンチ２に伝達される１０３。
【００６３】
ブレーキ６ａ、６ｂ、６ｃ、６ｄもしくはブレーキ機構全体の機能を、ブレーキ指示もしくはブレーキ信号ＢＳに基づいてテストするために、好適には少なくとも１つの部分アクスル５ａ、５ｂ、５ｃ、５ｄが、第１の初期の車輪回転数Ｎ０にされる１０４。この第１の初期の車輪回転数Ｎ０は好適には、ブレーキ６ａ、６ｂ、６ｃ、６ｄもしくはブレーキ機構がテストされることになっている車両の速度に対応する。この場合第１の初期の車輪回転数Ｎ０は、テストベンチ２の少なくとも１つのダイナモメータ７ａ、７ｂ、７ｃ、７ｄによって、または車両の駆動装置１９つまりモータを介しても、調節され得る。好適には第１の初期の車輪回転数Ｎ０は、車両の通常の走行運転のシミュレーションによって、設定される。
【００６４】
生成されたブレーキ信号ＢＳに基づいて、車両の少なくとも１つのブレーキ６ａ、６ｂ、６ｃ、６ｄが操作される１０５。この場合、少なくとも１つのブレーキ６ａ、６ｂ、６ｃ、６ｄの実際のブレーキ圧ＢＤの限界に達すると、少なくとも１つのブレーキ６ａ、６ｂ、６ｃ、６ｄの操作は、好適には部分的にシミュレートされる１０５ａ。すでに説明されたように、そのような制限は、少なくとも１つのダイナモメータ７ａ、７ｂ、７ｃ、７ｄを保護するために必要となり得る。
【００６５】
少なくとも１つのダイナモメータ７ａ、７ｂ、７ｃ、７ｄまたは駆動装置１９を有する少なくとも１つの部分アクスル５ａ、５ｂ、５ｃ、５ｄが、第１の初期の車輪回転数Ｎ０になると、少なくとも１つのダイナモメータ７ａ、７ｂ、７ｃ、７ｄは、部分アクスル５ａ、５ｂ、５ｃ、５ｄのモーメント方向と逆のモータ運転に入り、少なくとも１つの部分アクスル５ａ、５ｂ、５ｃ、５ｄでの所与のトルクＭｄｅｆまたは所与の第２の車輪回転数Ｎｄｅｆを調節する１０６。好適には所与のトルクＭｄｅｆまたは所与の第２の車輪回転数Ｎｄｅｆは、駆動トレイン４の回転するコンポーネントの慣性モーメントと、被試験ブレーキ機構を有する車両の直線状に動くコンポーネントの慣性モーメントと、に基づいて決定される。これらの慣性モーメントと場合によっては車両のさらなる特徴は好適には、特性Ｐとして統合されている。第１の初期の車輪回転数Ｎ０と所与のトルクＭｄｅｆまたは所与の第２の車輪回転数Ｎｄｅｆとの相互作用からもたらされる実車輪回転数Ｎｒｅａｌ（所与のトルクＭｄｅｆの場合）または実トルクＭｒｅａｌ（所与の第２の車輪回転数Ｎｄｅｆの場合）が測定され１０７、好適にはドライビングシミュレータ１にそれぞれの値が出力される１０８。好適には車両のコンポーネントの慣性モーメントもしくは特性Ｐは、乗客の重量、タンクの満状態、および／または車両の積載も考慮に入れる。
【００６６】
好適にはドライビングシミュレータ１での視覚的および／または聴覚的シミュレーションは、実車輪回転数Ｎｒｅａｌまたは実トルクＭｒｅａｌのデータに基づいて、適合される１０９。さらにドライビングシミュレータ１の模擬運転席８も、好適には少なくとも、実車輪回転数Ｎｒｅａｌまたは実トルクＭｒｅａｌのデータに基づいて、特に実車輪回転数Ｎｒｅａｌまたは実トルクＭｒｅａｌから導き出される加速度に基づいて、動かされる１１０。視覚的および／または聴覚的運動シミュレーションによって、ブレーキ機構もしくはブレーキ６ａ、６ｂ、６ｃ、６ｄによって生み出される走行挙動に車両をできる限り現実に近づけて模擬される。好適には少なくとも１つのブレーキ６ａ、６ｂ、６ｃ、６ｄの操作時に、ブレーキ周辺の空気の実際の流れ条件が模擬され、気象条件と交通条件とによる影響も、好適には走行速度と好適にはさらに走行方向および／または風条件に応じて模擬される。これによって、制動時のできる限り現実的な車両のブレーキ挙動もしくは走行挙動を達成できる。好適には車両の特性Ｐをシミュレートするまたはテストベンチ２の駆動トレイン４の少なくとも一部で実際的に調節されるさらなるパラメータは、ステアリング角、クラッチ位置、切替要求、モータ・コントロールの調節、スロットル・バルブ位置および好適にはさらなるパラメータである。一方でこれによって、ブレーキ機構だけでなく車両の別のコンポーネントもテストすることが可能であり、他方ではシミュレーションおよび／またはテストベンチ２での車両と環境の模擬が現実的であるほど、生成されるデータはますます現実の走行運転での値に近づく。
【００６７】
本発明に係るブレーキ機構試験装置とドライビングシミュレータ１の運転法とによって、運転者は、ブレーキディスクへのブレーキ力を完全にコントロールし、回転するまたは遮断されるブレーキディスクとその結果としてのブレーキ性能との直接的なフィードバックを得る。なぜなら、測定されたブレーキモーメントＭｒｅａｌもしくは第２の実車輪回転数Ｎｒｅａｌが、ドライビングシミュレータ１の車両モデルに入力されるからである。これによって、このために実際のテスト区間で走行テストを行う必要なしに、ブレーキ機構全体、ブレーキディスクおよび／またはブレーキキャリパを、制御性に関して直接的な運転者のフィードバックで試験し、かつ開発することが可能になる。これによって一方では貴重なテスト時間を節約し、他方で車両のブレーキ特性の試験を、たとえばまだ車両全体が構成されていないか、または少なくともまだ試作モデルがないような早期の開発段階ですでに、ほとんど現実の条件下で行うことができる。
【符号の説明】
【００６８】
１  ドライビングシミュレータ
２  テストベンチ
３  ブレーキ指令器
４  駆動トレイン
５ａ  部分アクスル
５ｂ  部分アクスル
５ｃ  部分アクスル
５ｄ  部分アクスル
６ａ  ブレーキ
６ｂ  ブレーキ
６ｃ  ブレーキ
６ｄ  ブレーキ
７ａ  ダイナモメータ
７ｂ  ダイナモメータ
７ｃ  ダイナモメータ
７ｄ  ダイナモメータ
８  模擬運転席
９  ブレーキペダル
１０  信号接続
１１  データ接続
１２  ブレーキ伝達シリンダ
１３ａ  送風機／温度調節装置／噴霧装置
１３ｂ  送風機／温度調節装置／噴霧装置
１３ｃ  送風機／温度調節装置／噴霧装置
１３ｄ  送風機／温度調節装置／噴霧装置
１４  流路
１５  冷却室
１６  バーチャルリアリティを再現する手段
１７  バーチャルリアリティを再現する手段
１８  シミュレーション計算機
１９  駆動装置
２０  ブレーキ圧分配器、弁
Ｐ  特性
ＢＳ  ブレーキ信号
ＢＤ  ブレーキ圧
Ｎ０  初期の第１の車輪回転数
Ｎｄｅｆ  所与の第２の車輪回転数
Ｎｒｅａｌ  実車輪回転数
Ｍｄｅｆ  所与のトルク
Ｍｒｅａｌ  実トルク
【図１】
0006759217.tif 000002
【図２ａ】
0006759217.tif 000003
【図２ｂ】
0006759217.tif 000004
【図３ａ】
0006759217.tif 000005
【図３ｂ】
0006759217.tif 000006
【図４】
0006759217.tif 000007